(57)【要約】【課題】簡単な構造で電子機器の取り付け作業が容易にできる機器収納キャビネットを提供することを目的としている。【解決手段】背板３と天板４、底板５とから構成される本体２に、前面板７と左右側板８とで構成されるカバー体６をバー１０を介して取り付け、本体２の接続部を支軸としたバー１０の回動動作に伴ってカバー体６が開閉可能であるように構成すると共に、バー１０は本体２との接続部から本体２の前面部に至るまでの間に略Ｌ字状に折曲形成したことを特徴とする。【選択図】図１
2008300595.tif 000002
【特許請求の範囲】
【請求項１】
各種機器を収納する機器収納キャビネットであって、該機器収納キャビネットは、背板と天板、底板とから構成される本体に、前面板と左右側板とで構成されるカバー体をバーを介して取り付け、前記本体の接続部を支軸とした前記バーの回動動作に伴って前記カバー体が開閉可能であるように構成すると共に、前記バーは前記本体との接続部から前記本体の前面部に至るまでの間に略Ｌ字状に折曲形成したことを特徴とする機器収納キャビネット。
【発明の詳細な説明】
【技術分野】
【０００１】
本発明は、各種機器を収納する機器収納キャビネットであって、該機器収納キャビネットに関するものである。
【背景技術】
【０００２】
従来の機器収納キャビネットは、図１０に示すように、壁への設置面３１を囲う四辺には左右側面３２、天板３３、底面３４が設けられ、前面の開口３５は扉体３６で施蓋されていた。扉体３６は開口３５の左右側面３２近傍に蝶番３７により開閉可能に取り付けられていた。機器の収納方法は、機器収納キャビネットに設けられたアングル３８に機器を固定するものである。
【０００３】
箱体本体の前面をカバー体で施蓋する構造のとき、従来は、扉体が箱体本体に係止する機構を有するか、またはねじ止めにより扉体を箱体本体に固定していた。機器の取り付けや配線のための作業の際には、扉体を箱体から取り外すものであった。
【０００４】
また、壁への設置面を囲う四辺のうち三方に側板を設け、前面開口と側板を設けなかった部分の開口を扉体で施蓋する機器収納キャビネットがあった。扉体はスライド動作により開閉可能であった。
【特許文献１】実開平５−８２０８５号公報
【特許文献２】実開平６−４４７６４号公報
【特許文献３】特開２０００−３０７２５９号公報
【発明の開示】
【発明が解決しようとする課題】
【０００５】
しかしながら、前面開口を扉体で施蓋する機器収納キャビネットに、電子機器を搭載する時、機器収納キャビネットの背板から前面の扉体に向かって複数のアングルを設け、このアングルに電子機器を固定していた。電子機器を設置する作業の際に、左右側板、天板、底板が作業の邪魔になる虞があった。また、扉体は前面側に開くため、機器収納キャビネットが高所に取り付けられている場合、作業がしにくいという欠点があった。扉体を開けるために機器収納キャビネットの前にもスペースが必要であった。
【０００６】
扉体が脱着式である機器収納キャビネットでは、扉体を誤って落下させて破損させてしまう虞があった。
【０００７】
扉体がスライド式に開閉する機器収納キャビネットでは、本体の左右側部にスライドレールが取り付けられ、機器の取り付け作業や、配線作業時にレールが障害となりやりにくいことがあった。
【課題を解決するための手段】
【０００８】
そこで本発明は、簡単な構造で電子機器の取り付け作業が容易にできる機器収納キャビネットを提供することを目的とし、その構造は、背板と天板、底板とから構成される本体に、前面板と左右側板とで構成されるカバー体をバーを介して取り付け、本体の接続部を支軸としたバーの回動動作に伴ってカバー体が開閉可能であるように構成すると共に、バーは本体との接続部から本体の前面部に至るまでの間に略Ｌ字状に折曲形成したことを特徴とする。
【発明の効果】
【０００９】
本発明に係る機器収納キャビネットは、背板と天板、底板とから構成される本体に、前面板と左右側板とで構成されるカバー体をバーを介して取り付け、バーの回動動作に伴ってカバー体が開閉可能であるように構成すると共に、バーは本体との接続部から本体の前面部に至るまでの間に略Ｌ字状に折曲形成したため、通信機器を収納したい場合にも、キャビネットの本体には側板はなく、また、バーも側面部を避けて配置され、機器取り付け作業や、配線作業時に障害となるものが本体の左右部分になく、作業性が向上する。
【発明を実施するための最良の形態】
【００１０】
本発明に係る機器収納キャビネットの実施例を図１〜図２の添付図面に基づいて説明する。
【００１１】
通信機器等を設置する機器収納キャビネット１の本体２は背板３に天板４と底板５とを設け、左右側板は設けず構成する。カバー体６は前面板７に左右側板８，８を設けて構成され、本体２をカバー体６で施蓋して用いる。
【００１２】
本体２の左右端部にバー９を回動可能に取り付ける。バー９は腕部１０と折曲部１１、カバー体接続部１２とを折曲形成する。バー９の腕部１０の端部を本体２の左右端部に取り付け、カバー体６の前面板７でバー９のカバー体接続部１２をカバー体６と接続するが、本体２の左右端部からカバー体６の前面板７に至るまでの間に略Ｌ字状に折曲し折曲部１１を形成する。バー９の回動動作によりカバー体６は上下に開閉する。カバー体６を引き下げることで本体２の前面が開放される、バー９は弾性を有する素材で形成される。
【００１３】
カバー体６を閉じた状態では、本体２端部に取り付けられたバー９は腕部１０が略水平にカバー体６の前面板７へ向かって延び、カバー体６に到達したところで折曲部１１が上方へ延びる。カバー体６の前面板７でカバー体接続部１２が回動可能に接続されている。カバー体６を引き下げると、バー９は本体２との取り付け部１３で回転し腕部１０が本体２の前方斜め下に延び、折曲部１１が略水平に前面へ伸びる。カバー体６を開放した状態でも、バー９は本体２の側面部分を横切らず、本体２の側面部分には広く作業スペースを確保できる。
【００１４】
機器収納キャビネット１には背板３にマウントレールを立設し、マウントレールに機器を取り付けて用いられる。前面ラックマウント型の機器を本発明の機器収納キャビネットに収納する場合、ラックの前面に配置される面が、設置場所の制約等により、本発明の機器収納キャビネットの側面に配置されることがある。前面ラックマウント型の機器は、配線作業がしやすいように、前面側に端子等が設けられていることが多く、本発明の機器収納キャビネット１に収納された場合、本体２には左右側板がなく、左右側面部分には広く作業スペースが確保されているので配線作業には大変都合がよい構造となっている。
【産業上の利用可能性】
【００１５】
本発明に係る機器収納キャビネットは、カバー体を動作させるバーは折曲形成され、機器を機器収納キャビネットに取り付けたり、配線したりする作業の際に邪魔にならないようになっているので、機器収納キャビネットの開閉方向が左右であっても、機器収納キャビネットの上下に作業スペースを広く確保でき、適用可能である。
【図面の簡単な説明】
【００１６】
【図１】機器収納キャビネットのカバー体を開いた状態を示す説明図である。
【図２】機器収納キャビネットのカバー体を閉じた状態を示す説明図である。
【図３】従来の機器収納キャビネットを示す説明図である。
【符号の説明】
【００１７】
１    機器収納キャビネット
２    本体
３    背板
４    天板
５    底板
６    カバー体
７    前面板
８    左右側板
９    バー
１０  腕部
１１  折曲部
１２  カバー体接続部
１３  取り付け部
【図１】
2008300595.tif 000003
【図２】
2008300595.tif 000004
【図３】
2008300595.tif 000005